(57)【要約】【課題】好適な露出で眼底撮影を行うことが可能な眼底撮影装置を提供する。【解決手段】実施形態の眼底撮影装置は、照明光学系と、撮影光学系と、露光制御部とを有する。照明光学系は、被検眼の眼底に照明光を照射する。撮影光学系は、複数の画素ラインによる露光タイミングを所定の時間差で順次に切り替えながら画素ライン単位で照明光の眼底反射光を検出する撮像素子を含む。露光制御部は、撮像素子による眼底反射光の露光量を、複数の画素ラインによる露光タイミングの切り替えに応じて変更する。【選択図】図４
2014073205.tif 000002
【特許請求の範囲】
【請求項１】
被検眼の眼底に照明光を照射する照明光学系と、
複数の画素ラインによる露光タイミングを所定の時間差で順次に切り替えながら画素ライン単位で前記照明光の眼底反射光を検出する撮像素子を含む撮影光学系と、
前記撮像素子による前記眼底反射光の露光量を、前記露光タイミングの切り替えに応じて変更する露光制御部と
を有する眼底撮影装置。
【請求項２】
前記照明光学系は、前記照明光を出力する光源を含み、
前記露光制御部は、前記露光タイミングの切り替えに応じて前記光源を制御することにより前記露光量の変更を行う
ことを特徴とする請求項１に記載の眼底撮影装置。
【請求項３】
前記照明光学系または前記撮影光学系は、光学シャッタを含み、
前記露光制御部は、前記露光タイミングの切り替えに応じて前記光学シャッタを制御することにより前記露光量の変更を行う
ことを特徴とする請求項１に記載の眼底撮影装置。
【請求項４】
前記照明光学系または前記撮影光学系は、減光フィルタを含み、
前記露光制御部は、前記露光タイミングの切り替えに応じて前記減光フィルタを制御することにより前記露光量の変更を行う
ことを特徴とする請求項１に記載の眼底撮影装置。
【請求項５】
前記露光制御部は、眼底の撮影画像において相対的に暗く描画される暗部領域に対応する画素ラインによる露光量を増加させるように前記露光量の変更を行うことを特徴とする請求項１〜請求項４のいずれか一項に記載の眼底撮影装置。
【請求項６】
前記露光制御部は、眼底の撮影画像において相対的に明るく描画される明部領域に対応する画素ラインによる露光量を減少させるように前記露光量の変更を行うことを特徴とする請求項１〜請求項４のいずれか一項に記載の眼底撮影装置。
【請求項７】
前記撮影光学系の光軸を中心として前記撮像素子を回転させる撮像素子駆動部を有し、
前記露光制御部は、眼底の撮影画像において相対的に暗く描画される暗部領域と相対的に明るく描画される明部領域とが同じ画素ラインに対応する場合、前記撮像素子駆動部を制御して前記撮像素子を回転させる
ことを特徴とする請求項１〜請求項６のいずれか一項に記載の眼底撮影装置。
【請求項８】
前記複数の画素ラインのうち眼底の特徴部位に対応する画素ラインを特定する画素ライン特定部を有し、
前記露光制御部は、特定された画素ラインによる露光量と他の画素ラインによる露光量とを違えるように前記露光量の変更を行う
ことを特徴とする請求項１〜請求項７のいずれか一項に記載の眼底撮影装置。
【請求項９】
前記照明光学系は、赤外照明光を出力する赤外光源を含み、
前記撮影光学系は、前記撮像素子との間において画素位置の対応付けが予めなされており、前記赤外照明光の眼底反射光を検出する赤外撮像素子を含み、
前記画素ライン特定部は、
前記赤外撮像素子による検出結果に基づく赤外眼底像を解析することにより、前記特徴部位に対応する前記赤外撮像素子の画素を特定する画素特定部を含み、
特定された前記赤外撮像素子の画素に対応付けられた前記撮像素子の画素を含む画素ラインを、前記特徴部位に対応する画素ラインとする
ことを特徴とする請求項８に記載の眼底撮影装置。
【請求項１０】
被検眼を固視させるための固視光学系を有し、
前記画素ライン特定部は、眼底撮影時における前記固視光学系による固視位置および前記撮影光学系による撮影画角に基づいて、前記特徴部位に対応する画素ラインを特定する
ことを特徴とする請求項８に記載の眼底撮影装置。
【請求項１１】
被検眼を固視させるための固視光学系と、
眼底の特徴部位からの前記照明光の反射光が所定の画素ラインによって検出されるように前記固視光学系を制御する固視制御部と
を有することを特徴とする請求項１〜請求項１０のいずれか一項に記載の眼底撮影装置。
【発明の詳細な説明】
【技術分野】
【０００１】
この発明は眼底撮影装置に関する。
【背景技術】
【０００２】
被検眼の状態を把握するために眼底を撮影する技術が知られている。眼底撮影装置は、眼底に照射された照明光の眼底反射光を受光して電気信号を出力する撮像素子を有する（たとえば特許文献１を参照）。撮像素子としては、ＣＣＤやＣＭＯＳ等の固体撮像素子が用いられる。
【０００３】
撮像素子の電子シャッタの方式には、グローバルシャッタ方式とローリングシャッタ方式がある（たとえば特許文献２を参照）。グローバルシャッタ方式は、全ての画素を同じタイミングで露光するものである。ローリングシャッタ方式は、各ラインの画素を同じタイミングで露光を行いつつ、隣接するライン間に所定の時間差を設けて複数のラインを順次露光していくものである。
【先行技術文献】
【特許文献】
【０００４】
【特許文献１】特開２０１２−１６１７０２号公報
【特許文献２】特開２０１２−１２９８１７号公報
【発明の概要】
【発明が解決しようとする課題】
【０００５】
一般に、眼底を撮影して得られる画像（眼底像）において、照明光を反射する程度の相違から、視神経乳頭は相対的に明るく描画され、それ以外の部分（特に中心窩等）は相対的に暗く描画される。場合によっては、視神経乳頭の描画領域の画素値が飽和することや、中心窩の描画領域の画素値が一様に低くなることがある。つまり、眼底の部位よっては白飛びや黒潰れが発生し、好適な露出の画像が得られないことがある。
【０００６】
この発明の目的は、好適な露出で眼底撮影を行うことが可能な技術を提供することにある。
【課題を解決するための手段】
【０００７】
上記目的を達成するために、請求項１に記載の発明は、被検眼の眼底に照明光を照射する照明光学系と、複数の画素ラインによる露光タイミングを所定の時間差で順次に切り替えながら画素ライン単位で前記照明光の眼底反射光を検出する撮像素子を含む撮影光学系と、前記撮像素子による前記眼底反射光の露光量を、前記露光タイミングの切り替えに応じて変更する露光制御部とを有する眼底撮影装置である。
また、請求項２に記載の発明は、請求項１に記載の眼底撮影装置であって、前記照明光学系は、前記照明光を出力する光源を含み、前記露光制御部は、前記露光タイミングの切り替えに応じて前記光源を制御することにより前記露光量の変更を行うことを特徴とする。
また、請求項３に記載の発明は、請求項１に記載の眼底撮影装置であって、前記照明光学系または前記撮影光学系は、光学シャッタを含み、前記露光制御部は、前記露光タイミングの切り替えに応じて前記光学シャッタを制御することにより前記露光量の変更を行うことを特徴とする。
また、請求項４に記載の発明は、請求項１に記載の眼底撮影装置であって、前記照明光学系または前記撮影光学系は、減光フィルタを含み、前記露光制御部は、前記露光タイミングの切り替えに応じて前記減光フィルタを制御することにより前記露光量の変更を行うことを特徴とする。
また、請求項５に記載の発明は、請求項１〜請求項４のいずれか一項に記載の眼底撮影装置であって、前記露光制御部は、眼底の撮影画像において相対的に暗く描画される暗部領域に対応する画素ラインによる露光量を増加させるように前記露光量の変更を行うことを特徴とする。
また、請求項６に記載の発明は、請求項１〜請求項４のいずれか一項に記載の眼底撮影装置であって、前記露光制御部は、眼底の撮影画像において相対的に明るく描画される明部領域に対応する画素ラインによる露光量を減少させるように前記露光量の変更を行うことを特徴とする。
また、請求項７に記載の発明は、請求項１〜請求項６のいずれか一項に記載の眼底撮影装置であって、前記撮影光学系の光軸を中心として前記撮像素子を回転させる撮像素子駆動部を有し、前記露光制御部は、眼底の撮影画像において相対的に暗く描画される暗部領域と相対的に明るく描画される明部領域とが同じ画素ラインに対応する場合、前記撮像素子駆動部を制御して前記撮像素子を回転させることを特徴とする。
また、請求項８に記載の発明は、請求項１〜請求項７のいずれか一項に記載の眼底撮影装置であって、前記複数の画素ラインのうち眼底の特徴部位に対応する画素ラインを特定する画素ライン特定部を有し、前記露光制御部は、特定された画素ラインによる露光量と他の画素ラインによる露光量とを違えるように前記露光量の変更を行うことを特徴とする。
また、請求項９に記載の発明は、請求項８に記載の眼底撮影装置であって、前記照明光学系は、赤外照明光を出力する赤外光源を含み、前記撮影光学系は、前記撮像素子との間において画素位置の対応付けが予めなされており、前記赤外照明光の眼底反射光を検出する赤外撮像素子を含み、前記画素ライン特定部は、前記赤外撮像素子による検出結果に基づく赤外眼底像を解析することにより、前記特徴部位に対応する前記赤外撮像素子の画素を特定する画素特定部を含み、特定された前記赤外撮像素子の画素に対応付けられた前記撮像素子の画素を含む画素ラインを、前記特徴部位に対応する画素ラインとすることを特徴とする。
また、請求項１０に記載の発明は、請求項８に記載の眼底撮影装置であって、被検眼を固視させるための固視光学系を有し、前記画素ライン特定部は、眼底撮影時における前記固視光学系による固視位置および前記撮影光学系による撮影画角に基づいて、前記特徴部位に対応する画素ラインを特定することを特徴とする。
また、請求項１１に記載の発明は、請求項１〜請求項１０のいずれか一項に記載の眼底撮影装置であって、被検眼を固視させるための固視光学系と、眼底の特徴部位からの前記照明光の反射光が所定の画素ラインによって検出されるように前記固視光学系を制御する固視制御部とを有することを特徴とする。
【発明の効果】
【０００８】
この発明によれば、好適な露出で眼底撮影を行うことが可能である。
【図面の簡単な説明】
【０００９】
【図１】実施形態に係る眼底撮影装置の構成例を示す概略図である。
【図２】この発明に係る眼底撮影装置の実施形態における撮像素子の概略説明図である。
【図３】この発明に係る眼底撮影装置の実施形態における撮像素子の概略説明図である。
【図４】実施形態に係る眼底撮影装置の構成例を示す概略図である。
【図５Ａ】実施形態に係る眼底撮影装置の動作例を説明するための概略図である。
【図５Ｂ】実施形態に係る眼底撮影装置の動作例を説明するための概略図である。
【図５Ｃ】実施形態に係る眼底撮影装置の動作例を説明するための概略図である。
【図６Ａ】実施形態に係る眼底撮影装置の動作例を説明するための概略図である。
【図６Ｂ】実施形態に係る眼底撮影装置の動作例を説明するための概略図である。
【図７】変形例に係る眼底撮影装置の構成例を示す概略図である。
【図８】変形例に係る眼底撮影装置の構成例を示す概略図である。
【図９】変形例に係る眼底撮影装置の構成例を示す概略図である。
【発明を実施するための形態】
【００１０】
この発明に係る眼底撮影装置の実施形態の一例を説明する。なお、この実施形態では眼底カメラについて説明するが、たとえばスリットランプ（細隙灯顕微鏡装置）や眼科手術用顕微鏡のように、眼底を撮影可能な他の形態の装置であってもよい。
【００１１】
［構成］
この実施形態に係る眼底撮影装置の構成を図１に示す。眼底撮影装置１には、被検眼Ｅの眼底Ｅｆの表面形態を表す２次元画像（眼底像）を形成するための光学系が設けられている。眼底像には、観察画像や撮影画像などが含まれる。観察画像は、たとえば、近赤外光を用いて撮影された眼底Ｅｆの動画像である。観察画像は赤外眼底像の一例である。撮影画像は、たとえば、フラッシュ光を用いて撮影された眼底Ｅｆの静止画像である。この静止画像としては、カラー画像、フルオレセイン蛍光画像、インドシアニングリーン蛍光画像、自発蛍光画像などがある。また、眼底撮影装置１は、被検眼Ｅの前眼部を撮影することも可能である。
【００１２】
眼底撮影装置１には、従来の眼底カメラと同様に、被検者の顔を支持するための顎受けや額当てが設けられている。更に、眼底撮影装置１には、従来の眼底カメラと同様に、照明光学系１０と撮影光学系３０が設けられている。照明光学系１０は眼底Ｅｆに照明光を照射する。撮影光学系３０は、この照明光の眼底反射光を撮像素子（イメージセンサ３７、４３）に導く。
【００１３】
［光学系］
（眼底観察用光学系）
照明光学系１０の観察光源１１は、定常光（連続光）を出力可能な定常光源である。この定常光源は、フラッシュ光の出力も可能であってよい。観察光源１１は、たとえばハロゲンランプやＬＥＤ（Ｌｉｇｈｔ  Ｅｍｉｔｔｉｎｇ  Ｄｉｏｄｅ）により構成される。観察光源１１は可視光と赤外光とを含む。観察光源１１から出力された光（観察照明光）は、凹面状の反射面を有する反射ミラー１２により反射され、コンデンサレンズ１３を経由し、可視カットフィルタ１４を透過して近赤外光となる。更に、観察照明光は、ビームスプリッタ１７を透過し、ミラー１８により反射され、リレーレンズ２０、２１、絞り２２およびリレーレンズ２３を経由する。そして、観察照明光は、孔開きミラー２４の周辺部（孔部の周囲の領域）にて反射され、対物レンズ２５を経由して眼底Ｅｆを照明する。
【００１４】
なお、ビームスプリッタ１７としては、たとえば、赤外光を透過し、可視光を反射するダイクロイックミラーが用いられる。また、光学フィルタ部１９については後述する。
【００１５】
観察照明光の眼底反射光は、対物レンズ２５により屈折され、孔開きミラー２４の中心領域に形成された孔部を通過し、ダイクロイックミラー５５を透過し、フォーカスレンズ３１を経由し、ダイクロイックミラー３２により反射される。更に、この眼底反射光は、ダイクロイックミラー３３を透過し、ミラー３５により反射され、コンデンサレンズ３６によりイメージセンサ３７の受光面に結像される。イメージセンサ３７は、所定の時間間隔で眼底反射光を検出し、電気信号（画像信号）を生成して出力する。
【００１６】
観察用のイメージセンサ３７は、たとえば、アナログの画像信号（映像信号）を出力するビデオカメラとして機能する。イメージセンサ３７は、光電変換機能を有する撮像素子である。イメージセンサ３７は、たとえば、ＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサにより構成される。
【００１７】
ダイクロイックミラー３３は、イメージセンサ３７を通る光路と、ＬＣＤ（Ｌｉｑｕｉｄ  Ｃｒｙｓｔａｌ  Ｄｉｓｐｌａｙ）３８を通る光路とを合成するものである。ダイクロイックミラー３３は、これら光路から退避できるように構成されていてもよい。その場合、観察照明光はダイクロイックミラー３３を経由することなくイメージセンサ３７に導かれる。また、光学フィルタ部３４については後述する。
【００１８】
（眼底撮影用光学系）
撮影光源１５は、フラッシュ光（ストロボ光、瞬間光などとも呼ばれる）を出力する。撮影光源１５は、定常光の出力も可能であってよい。撮影光源１５は、たとえばＬＥＤやキセノンランプにより構成される。撮影光源１５から出力された光（撮影照明光）は、コンデンサレンズ１６を経由し、ビームスプリッタ１７により反射される。そして、撮影照明光は、観察照明光と同様の経路を通って眼底Ｅｆに照射される。この撮影照明光の眼底反射光は、観察照明光と同様の経路を通ってダイクロイックミラー３２に導かれる。
【００１９】
眼底反射光が赤外光の場合、眼底反射光はダイクロイックミラー３２により反射され、観察照明光と同様の経路を通ってイメージセンサ３７により検出される。他方、眼底反射光が可視光の場合、眼底反射光はダイクロイックミラー３２を透過し、ミラー４０により反射され、コンデンサレンズ４２によりイメージセンサ４３により検出される。なお、光学フィルタ部４１については後述する。また、イメージセンサ４３は、たとえば、ＣＣＤイメージセンサやＣＭＯＳイメージセンサにより構成される。
【００２０】
イメージセンサ４３は、ローリングシャッタ方式の撮像素子である。つまり、イメージセンサ４３は、複数の画素ラインによる露光タイミングを所定の時間差で順次に切り替えながら画素ライン単位で光を検出するように動作する。
【００２１】
図２に示すように、イメージセンサ４３には、アレイ状（格子状）に配列された複数の画素Ｐｉｊ（ｉ＝１〜Ｎ、ｊ＝１〜Ｍ）が設けられている。すなわち、複数の画素Ｐｉｊは、Ｎ行Ｍ列の行列状に配列されている。第ｉ行（Ｌｉｎｅ  ｉ）に含まれるＭ個の画素Ｐｉ１〜ＰｉＭが、第ｉ番目の画素ラインＬｉを構成している。
【００２２】
なお、この例では横方向に直線状に並ぶ画素たちを画素ラインと呼んでいるが、縦方向に直線状に並ぶ画素たちを画素ラインと定義してもよい。
【００２３】
また、各画素ラインＬｉが２行以上の画素を含んでいてもよい。たとえば、画素Ｐ１ｊ、Ｐ２ｊ（ｊ＝１〜Ｍ）が第１行の画素ラインを構成し、画素Ｐ３ｊ、Ｐ４ｊ（ｊ＝１〜Ｍ）が第２行の画素ラインを構成し・・・というように、各画素ラインが、隣接する２つの画素列を含んでいてもよい。
【００２４】
ローリングシャッタ動作のタイミングチャートを図３に示す。イメージセンサ４３は、Ｎ個の画素ラインＬｉ（ｉ＝１〜Ｎ）で順次に露光を行う。隣接する画素ラインＬｉ、Ｌ（ｉ＋１）の間の露光タイミングの差はΔＴである。各画素ラインＬｉが動作する期間Ｒｉは、露光期間Ｒｉ１と、読み出し期間Ｒｉ２とを含む。露光期間Ｒｉ１は、光を検出して電荷を蓄積可能な期間である。読み出し期間Ｒｉ２は、露光期間Ｒｉ１に蓄積された電荷を読み出して信号を出力する期間である。
【００２５】
期間Ｔ１およびＴ３は、ローリングシャッタ方式に特有の露光の同期が取れない期間である。一般的なローリングシャッタ方式の撮像素子では、全ての画素ラインＬ１〜ＬＮで露光が可能な期間Ｔ２において撮影を行う。そして、それ以外の期間Ｔ１およびＴ３においては、シャッタ等を用いて撮像素子への光の入射を規制することで、画素ラインＬｉの間の露光時間のズレを回避している。このような一般的なローリングシャッタ方式の撮像素子を用いた制御に対し、この実施形態では後述の制御を行う。
【００２６】
（光学フィルタ部）
光学フィルタ部１９、３４、４１について説明する。各光学フィルタ部１９、３４、４１には、各種用途の光学フィルタが設けられている。光学フィルタとしては、蛍光撮影用のもの、レッドフリー撮影用のものなどがある。蛍光撮影用の光学フィルタとしては、自発蛍光撮影（ＦＡＦ）用のもの、フルオレセイン蛍光撮影（ＦＡ）用のもの、インドシアニングリーン撮影（ＩＣＧ）用のものなどがある。なお、光学フィルタはこれらに限定されるものではなく、眼科分野での各種撮影手法に用いられる光学フィルタであればよい。
【００２７】
具体例として蛍光撮影用のフィルタについて説明する。光学フィルタ部１９には、ＦＡＦ用エキサイタフィルタ、ＦＡ用エキサイタフィルタ、ＩＣＧ用エキサイタフィルタが設けられている。これらエキサイタフィルタは、それぞれ、照明光学系１０の光路に対して挿脱可能とされている。光学フィルタ部３４には、ＦＡＦ用バリアフィルタが設けられている。このバリアフィルタは、ダイクロイックミラー３２とイメージセンサ３７とを結ぶ光路に対して挿脱可能とされている。光学フィルタ部４１には、ＦＡ用バリアフィルタとＩＣＧ用バリアフィルタとが設けられている。これらバリアフィルタは、それぞれ、ダイクロイックミラー３２とイメージセンサ４３とを結ぶ光路に対して挿脱可能とされている。
【００２８】
イメージセンサ４３の手前に配置された光学フィルタ部４１は、減光フィルタを含んでいてもよい。減光フィルタ（ＮＤ（Ｎｅｕｔｒａｌ  Ｄｅｎｓｉｔｙ）フィルタ）は、イメージセンサ４３が受光する光の量を減少させるフィルタである。光学フィルタ部４１は、光の透過率が異なる複数の減光フィルタを有していてもよい。また、減光フィルタは、液晶パネルを用いて透過率を変化させるよう構成されたデバイス（液晶減光フィルタ）であってもよい。なお、撮影光源１５から対物レンズ２５までの間、または、対物レンズ２５からイメージセンサ４３までの間の任意の位置に、減光フィルタを設けることが可能である。
【００２９】
なお、減光フィルタに代えて光学シャッタを設けることが可能である。光学シャッタは、光を遮断するデバイスである。光学シャッタは、遮蔽板を機械的に動作させることで光を遮断する機械式シャッタでもよいし、液晶パネルを用いた液晶シャッタのように非機械式シャッタであってもよい。なお、撮影光源１５から対物レンズ２５までの間、または、対物レンズ２５からイメージセンサ４３までの間の任意の位置に、光学シャッタを設けることが可能である。
【００３０】
（固視光学系）
ＬＣＤ３８は、固視標や視力測定用指標などの各種指標を表示する。固視標は被検眼Ｅを固視させるための指標であり、眼底Ｅｆの観察時や撮影時などに使用される。ＬＣＤ３８による固視標の画像の表示位置を変更することにより、被検眼Ｅの固視位置を変更することができる。固視位置には、視神経乳頭を撮影するための乳頭撮影用固視位置、黄斑を撮影するための黄斑撮影用固視位置、視神経乳頭と黄斑の双方を同時に撮影するための眼底中心撮影用固視位置などがある。なお、固視位置はこれらに限定されるものではなく、固視位置を任意に変更することが可能である。ＬＣＤ３８に代えて、他の構成の固視標呈示手段を設ける事が可能である。たとえば、選択的に点灯可能な複数の光源（ＬＥＤ等）を配列した構成の内部固視標を用いることが可能である。
【００３１】
（アライメント光学系５０、フォーカス光学系６０など）
更に、眼底撮影装置１には、従来の眼底カメラと同様にアライメント光学系５０とフォーカス光学系６０が設けられている。アライメント光学系５０は、被検眼Ｅに対する装置光学系の位置合わせ（ｘｙ方向のアライメント）を行うための指標を生成する。この指標をアライメント指標と呼ぶことがある。フォーカス光学系６０は、眼底Ｅｆに対するｚ方向の位置合わせを行うための指標、つまり眼底Ｅｆに対してフォーカス（ピント）を合わせるための指標を生成する。この指標をスプリット指標と呼ぶことがある。
【００３２】
アライメント光学系５０のＬＥＤ５１から出力された光（アライメント光）は、絞り５２、５３およびリレーレンズ５４を経由してダイクロイックミラー５５により反射され、孔開きミラー２４の孔部を通過し、対物レンズ２５により被検眼Ｅの角膜に投影される。
【００３３】
アライメント光の角膜反射光は、観察照明光の眼底反射光と同様の光路を経由してイメージセンサ３７の受光面に投影される。イメージセンサ３７による受光像（アライメント指標像）は、観察画像とともに表示される。ユーザは、従来の眼底カメラと同様の操作を行ってアライメントを実施する。アライメント指標像の位置を解析して光学系を移動させることにより自動的にアライメントを行うようにしてもよい。
【００３４】
フォーカス調整を行う際には、照明光学系１０の光路に反射棒６７の反射面が斜設される。フォーカス光学系６０のＬＥＤ６１から出力された光（フォーカス光）は、リレーレンズ６２を通過し、スプリット指標板６３により二つの光束に分離され、二孔絞り６４を通過し、ミラー６５に反射され、コンデンサレンズ６６により反射棒６７の反射面に一旦結像されて反射される。更に、フォーカス光は、リレーレンズ２３を経由し、孔開きミラー２４に反射され、対物レンズ２５により眼底Ｅｆに結像される。
【００３５】
フォーカス光の眼底反射光は、アライメント光の角膜反射光と同様の経路を通ってイメージセンサ３７により検出される。イメージセンサ３７による受光像（スプリット指標像）は、観察画像とともに表示される。眼底撮影装置１は、従来と同様に、スプリット指標像の位置を解析してフォーカスレンズ３１およびフォーカス光学系６０を移動させることによりピント合わせを行う。また、スプリット指標像を視認しつつ手動でフォーカスレンズ３１およびフォーカス光学系６０を移動させることによりピント合わせを行うようにしてもよい。
【００３６】
符号７０は、被検眼Ｅのまばたきの発生を検知するための受光素子を示す。受光素子７０はたとえばフォトディテクタである。このまばたき検知処理は、たとえば従来と同様に、被検眼Ｅによる観察照明光の反射光の強度に基づいて行われる。受光素子７０は、被検眼Ｅからの反射光の強度を監視するために用いられる。これは、被検眼Ｅがまばたきをしている状態における反射光の強度が、まばたきをしていない状態におけるそれよりも高いことを利用した技術である。
【００３７】
この実施形態では２台の撮像素子を用いているが、この発明に係る眼底撮影装置は少なくとも１台の撮像素子を有するものであればよい。また、この眼底撮影装置（眼底カメラ）は、散瞳タイプまたは無散瞳タイプのいずれであってもよい。
【００３８】
［制御系］
眼底撮影装置１の制御系について説明する。この制御系の構成例を図４に示す。
【００３９】
眼底撮影装置１は、その構成部材を移動させるための各種の駆動部を有する。たとえば、イメージセンサ駆動部４３Ａは、撮影光学系３０の光軸を中心としてイメージセンサ４３を回転させる。イメージセンサ駆動部４３Ａは、たとえば、イメージセンサ４３の背面（受光面の対向面）における撮影光軸の延長位置に接続された回転軸と、この回転軸を回転させるアクチュエータとを含んで構成される。このアクチュエータは、たとえばパルスモータである。イメージセンサ駆動部４３Ａは、撮像素子駆動部の一例である。
【００４０】
また、眼底撮影装置１は、図示しないフィルタ駆動部を有する。第１のフィルタ駆動部は、光学フィルタ部１９の光学フィルタを光路に対して挿脱する。また、第２のフィルタ駆動部は、光学フィルタ部３４の光学フィルタを光路に対して挿脱する。また、第３のフィルタ駆動部は、光学フィルタ部４１の光学フィルタを光路に対して挿脱する。各フィルタ駆動部は、複数の光学フィルタを保持するフィルタ保持部材と、このフィルタ保持部材を駆動させるアクチュエータとを含む。フィルタ保持部材としては、たとえばターレット板等が用いられる。アクチュエータとしては、たとえばパルスモータやソレノイドが用いられる。
【００４１】
また、眼底撮影装置１は、フォーカスレンズ３１を光軸に沿って移動させるフォーカスレンズ駆動部、フォーカス光学系６０を光軸に沿って移動させるフォーカス光学系駆動部、反射棒６７を光路に対して挿脱させる反射棒駆動部などを有する。また、眼底撮影装置１は、光学系全体を（たとえば３次元的に）移動させる光学系駆動部を有する。これら駆動部は、たとえば従来と同様の構成を有する。
【００４２】
眼底撮影装置１の制御系は、制御部１００と、画像処理部２００と、表示部３００と、操作部４００とを含んで構成される。
【００４３】
（制御部１００）
制御部１００は、各種の制御処理や演算処理を実行する。制御部１００は、主制御部１１０と、記憶部１２０と、露光制御部１３０とを含んで構成される。なお、主制御部１１０と露光制御部１３０は一部機能が重複していてもよい。
【００４４】
（主制御部１１０）
主制御部１１０は、眼底撮影装置１の各部を制御する。たとえば、主制御部１１０は、観察光源１１、撮影光源１５、イメージセンサ３７、４３、ＬＥＤ５１、ＬＥＤ６１などの制御を行う。また、主制御部１１０は、イメージセンサ駆動部４３Ａ等の各種駆動部をそれぞれ制御する。また、主制御部１１０は、受光素子７０からの電気信号を受けて上記のまばたき検知処理を実行する。
【００４５】
（記憶部１２０）
記憶部１２０には各種の情報が記憶される。たとえば記憶部１２０には、主制御部１１０や露光制御部１３０や画像処理部２００に所定の処理を実行させるためのコンピュータプログラムが予め記憶されている。また、記憶部１２０には、被検眼Ｅの検査において取得された情報（画像データ等）や、患者に関する情報（電子カルテ情報等）などが記憶される。
【００４６】
（露光制御部１３０）
露光制御部１３０は、イメージセンサ４３による撮影照明光の眼底反射光の露光量を、イメージセンサ４３による露光タイミングの切り替えに応じて変更する。前述したように、イメージセンサ４３は、ローリングシャッタ方式の撮像素子であり、図３に示すように複数の画素ラインＬｉによる露光タイミングを所定の時間差ΔＴで順次に切り替えながら画素ラインＬｉ単位で眼底反射光の検出を行うようになっている。露光制御部１３０は、このようなイメージセンサ４３の露光タイミングの切り替えに同期して、イメージセンサ４３による眼底反射光の露光量を変更する制御を行う。この制御の具体例については後述する。
【００４７】
なお、イメージセンサ４３による露光量の変更制御は、特定の画素ラインＬｉによる露光量を増加または減少させるものである。このような変更制御は、たとえば、当該画素ラインＬｉの露光期間中においてイメージセンサ４３に入射する光量を変更することにより行われる。この入射光量の変更制御は、たとえば、撮影照明光の出力態様の制御、および／または、出力された撮影照明光の光量の変更制御を含む。撮影照明光の出力態様の制御は、たとえば、撮影光源１５による出力強度や出力時間を制御することにより行うことができる。また、出力された撮影照明光の光量の変更制御は、たとえば、照明光学系１０の光路または撮影光学系３０の光路に設けられた光量変更部材によって行うことができる。この光量変更部材としては、光の透過と遮断とを切り替えるための光学シャッタや、透過光量を変更するための減光フィルタなどがある。この実施形態では、撮影光源１５を制御する場合について説明する。光量変更部材を制御する場合については、変形例として後述する。
【００４８】
（画像処理部２００）
画像処理部２００は各種の画像処理を実行する。画像処理部２００は、画素ライン特定部２１０を有する。画素ライン特定部２１０は、画素特定部２１１を有する。
【００４９】
画素ライン特定部２１０は、複数の画素ラインＬｉのうち眼底Ｅｆの特徴部位に対応する画素ラインを特定する。この画素ラインを注目画素ラインと呼ぶ。
【００５０】
この特定処理において注目される眼底Ｅｆの特徴部位は予め決められている。この特徴部位は、たとえば、眼底Ｅｆを撮影して得られる眼底像において特徴的な明るさ（輝度）で描画される眼底Ｅｆの部位である。この特徴部位の例として、特徴的に明るく描画される視神経乳頭、特徴的に暗く描画される黄斑（中心窩）などがある。また、特徴的な明るさで描画される傷病部位を特徴部位として適用することもできる。また、たとえば蛍光撮影で強調して描画される血管のように、所定の撮影手法によって特徴的な明るさで描画される眼底Ｅｆの部位や傷病部位を、特徴部位として適用することも可能である。
【００５１】
注目画素ラインを特定する処理には様々なものがある。その一例として、赤外眼底像を用いる場合を説明する。前述のように、観察光源１１から出力される観察照明光は可視光と赤外光とを含み、可視カットフィルタ１４を透過して赤外光（近赤外光）となる。観察光源１１は、赤外光源の一例である。観察照明光の眼底反射光はイメージセンサ３７によって検出される。イメージセンサ３７は、赤外撮像素子の一例である。
【００５２】
ここで、イメージセンサ３７の画素位置とイメージセンサ４３の画素位置との間には、予め対応付けがなされているものとする。つまり、イメージセンサ３７の任意の画素に対応するイメージセンサ４３の画素が予め決められているものとする。
【００５３】
この対応付けは、たとえば光学系の構成に基づいてなされる。その具体例として、まず、イメージセンサ３７およびイメージセンサ４３のそれぞれについて、その受光面の中心に位置する画素を光軸上に配置させる。それにより、中心画素同士が対応付けられる。更に、イメージセンサ３７に導かれる光路と、イメージセンサ４３に導かれる光路は、フォーカスレンズ３１を共有しており、フォーカスレンズ３１よりも後段の位置には、それぞれの受光面に対する結像状態を可変とする光学素子は設けられていない。よって、中心画素以外の画素についても、対応付けを行うことが可能である。
【００５４】
なお、受光面に対する結像状態を可変にする光学素子が設けられている場合であっても、制御部１００が結像状態を認識することによって、その都度、画素同士の対応付けを行うことが可能である。また、単一のイメージセンサで赤外撮影と可視撮影とを行う場合には、画素位置の対応付けは自明である。
【００５５】
画素特定部２１１は、イメージセンサ３７による検出結果に基づく赤外眼底像、つまり赤外光を用いて撮影された眼底Ｅｆの画像を解析することにより、眼底Ｅｆの特徴部位に対応するイメージセンサ３７の画素を特定する。
【００５６】
この処理は、たとえば、赤外眼底像の画素のうち特徴的な画素値（輝度値）を有する画素を特定するものである。特徴的な輝度値の例として、絶対的な意味で特徴的な輝度値と、相対的な意味で特徴的な輝度値がある。前者は、たとえば閾値処理や２値化処理などに基づき特定される。後者は、たとえば輝度値のヒストグラムなどに基づき特定される。
【００５７】
また、特徴的な輝度値には、特徴的に高い輝度値と、特徴的に低い輝度値がある。前者は、たとえば視神経乳頭に対応する輝度値である。後者は、たとえば黄斑に対応する輝度値である。
【００５８】
画素特定部２１１は、このようにして特徴的な輝度値を有する画素を特定する。なお、輝度値以外の情報を参照して画素特定処理を行うことも可能である。たとえば、目的の特徴部位の形状（視神経乳頭であれば、円形状または楕円形状）に基づくパターンマッチングを含めて上記処理を行うことができる。
【００５９】
画素特定部２１１により眼底Ｅｆの特徴部位に対応するイメージセンサ３７の画素（注目画素）が特定されると、画素ライン特定部２１０は、これら注目画素に対応付けられたイメージセンサ４３の画素Ｐｉｊを、上記対応付けを参照して特定する。更に、画素ライン特定部２１０は、特定された画素Ｐｉｊを含む画素ラインＬｉを特定し、当該画素ラインＬｉを注目画素ラインとして採用する。ここで、特定される注目画素ラインの個数は１以上である。
【００６０】
画素ライン特定処理の他の例を説明する。この処理例では、撮影画角と固視位置に基づいて注目画素ラインの特定を行う。前述のように、眼底撮影装置１は、被検眼Ｅを固視させるための固視光学系を有する。また、撮影光学系３０は、所定の撮影画角にて眼底Ｅｆを撮影する。画素ライン特定部２１０は、眼底撮影時における固視光学系による固視位置および撮影光学系３０による撮影画角に基づいて、眼底Ｅｆの特徴部位に対応する画素ラインを特定する。
【００６１】
この処理についてより詳しく説明する。撮影画角には、小瞳孔用の撮影画角や、通常瞳孔用の撮影画角がある。また、撮影画角を任意に設定することも可能である。いずれにしても撮影画角は撮影前に決められるので、眼底Ｅｆの撮影範囲も予め決められている。なお、被検眼Ｅの眼球光学系により撮影範囲が既定範囲から変化することもあるが、撮影において最も注目する部位（視神経乳頭、黄斑等）がフレームの中央領域に位置するように固視を行うので、それほど影響はない。また、眼球光学系の屈折力に応じて撮影画角を調整してから撮影を行うようにしてもよい。
【００６２】
所定の撮影画角で、かつ所定の固視位置で撮影を行うことにより、固視が好適に行われていることを条件として、フレームのどの位置に眼底Ｅｆの特徴部位が描画されるか特定することができる。つまり、画素ライン特定部２１０は、眼底Ｅｆの特徴部位に対応する画素を特定することができ、更に、この画素を含む画素ラインを特定することができる。このようにして特定された１以上の画素ラインが注目画素ラインとして採用される。
【００６３】
（表示部３００、操作部４００）
表示部３００と操作部４００は、眼底撮影装置１のユーザインターフェイスを構成する。表示部３００は、主制御部１１０による制御の下に各種情報を表示する。表示部３００は、たとえばＬＣＤ等の表示デバイスである。操作部４００は、操作指示や情報入力に用いられる。操作部４００は、撮影トリガボタンや各種スイッチ等のハードウェアを含んで構成される。操作部４００を用いた操作がなされると、その操作内容に応じた電気信号（操作信号）が操作部４００から主制御部１１０に入力される。主制御部１１０は、この操作信号に基づいて、その操作内容に応じた動作を眼底撮影装置１に実行させる。
【００６４】
表示部３００はタッチパネルディスプレイであってもよい。この場合、操作部４００は、このタッチパネルディスプレイとコンピュータプログラムとを含んで構成される。操作部４００に対する操作内容は、電気信号として主制御部１１０に入力される。また、表示部３００に表示されたグラフィックユーザインターフェイス（ＧＵＩ）と、操作部４００とを用いて、操作や情報入力を行うようにしてもよい。
【００６５】
［動作］
眼底撮影装置１の動作の一例を説明する。
【００６６】
まず、従来と同様に、アライメント指標を用いて被検眼Ｅに対する光学系のアライメントを行うとともに、スプリット指標を用いて眼底Ｅｆに対するフォーカス調整を行う。
【００６７】
このとき、観察光源１１は定常光を出力しており、イメージセンサ３７はその眼底反射光を所定の時間間隔で検出している。すなわち、眼底撮影装置１は、所定のフレームレートの眼底Ｅｆの赤外動画像（観察画像）を取得し表示部３００にて表示する。
【００６８】
主制御部１１０は、観察画像を構成する１つの静止画像（フレーム）を画素ライン特定部２１０に送る。画素ライン特定部２１０は、イメージセンサ４３の複数の画素ラインＬ１〜ＬＮのうち、眼底Ｅｆの特徴部位に対応する注目画素ラインＬｉを特定する。画素ライン特定部２１０は、注目画素ラインＬｉを示す画素ライン識別情報を露光制御部１３０に送る。
【００６９】
露光制御部１３０は、画素ライン識別情報を受けて、注目画素ラインＬｉによる露光量と、他の画素ラインＬｋ（ｋ≠ｉ）による露光量とを違えるように、イメージセンサ４３による撮影照明光の眼底反射光の露光量の変更を行う。この処理の例を以下に説明する。
【００７０】
眼底Ｅｆの特徴部位が、撮影画像において相対的に暗く描画される暗部領域である場合（たとえば黄斑である場合）の例を説明する。説明の簡略化のため、イメージセンサ４３の画素ラインＬｉの個数は１０個であるとする（ｉ＝１〜１０）。また、１０個の画素ラインＬｉと、眼底Ｅｆの撮影画像Ｇ１（既に取得された赤外眼底像、または、これから取得されるべき眼底像）との関係は、図５Ａに示すようになっているものとする。本例では、眼底Ｅｆの特徴部位は黄斑Ｈ２であるとし、黄斑Ｈ２に対応する画素ラインは第７行の画素ラインＬ７であるとする。なお、符号Ｈ１は視神経乳頭を示す。
【００７１】
露光制御部１３０は、イメージセンサ４３の画素ラインＬ１〜Ｌ１０の露光タイミングの切り替えに応じて撮影光源１５を制御することにより、イメージセンサ４３による撮影照明光の眼底反射光の露光量を変更する。撮影光源１５の制御は露光タイミングの切り替えに同期して、たとえば図５Ｂに示す態様で行われる。図５Ｂに示す例では、露光制御部１３０は撮影光源１５を３回発光させる。
【００７２】
符号Ａ１で示す第１回目の発光として、露光制御部１３０は、期間Ｔ１において第７行の画素ラインＬ７の露光開始タイミングと同時に撮影光源１５の発光を開始させ、次の第８行の画素ラインＬ８の露光開始タイミングと同時に撮影光源１５の発光を停止させる。このときの発光時間は、隣接する画素ラインの間の露光タイミングの差ΔＴに等しい。
【００７３】
また、符号Ａ２で示す第２回目の発光として、露光制御部１３０は、全ての画素ラインＬ１〜Ｌ１０が露光可能な期間Ｔ２内の任意のタイミングで、撮影光源１５を任意の期間にわたって発光させる。このときの発光時間は予め設定される。
【００７４】
更に、符号Ａ３で示す第３回目の発光として、露光制御部１３０は、期間Ｔ３において第６行の画素ラインＬ６の露光終了タイミングと同時に撮影光源１５の発光を開始させ、次の第７行の画素ラインＬ７の露光終了タイミングと同時に撮影光源１５の発光を停止させる。このときの発光時間は、隣接する画素ラインの間の露光タイミングの差ΔＴに等しい。
【００７５】
このような露光制御によれば、黄斑Ｈ２に対応する画素ラインＬ７は眼底反射光を３回検出し、他の画素ラインＬｉ（ｉ≠７）は眼底反射光を２回検出する。したがって、黄斑Ｈ２に対応する画素ラインＬ７による露光時間を増加させることができ、その結果として画素ラインＬ７による露光量を（他の画素ラインと比較して）増加させることができる。ここで、黄斑Ｈ２は、撮影画像において相対的に暗く描画される暗部領域であるが、黄斑Ｈ２に対応する画素ラインＬ７についてのみ露光量が増加されるので、従来の撮影方式よりも黄斑Ｈ２を明りょうに（高コントラストで）描画することができる。
【００７６】
露光制御の他の例を図５Ｃに示す。本例は、期間Ｔ２における発光Ａ２を行わず、期間Ｔ１およびＴ３での発光Ａ１およびＡ３のみ行うものである。つまり、本例では、黄斑Ｈ２に対応する画素ラインＬ７は眼底反射光を２回検出し、他の画素ラインＬｉ（ｉ≠７）は眼底反射光を１回検出する。本例によれば、黄斑Ｈ２に対応する画素ラインＬ７の露光時間と、他の画素ラインＬｉ（ｉ≠７）の露光時間との間の差を最大化することができる（つまり２倍になる）。よって、高コントラストの眼底像が得られる。
【００７７】
一方、たとえば視神経乳頭Ｈ１のように、眼底Ｅｆの撮影画像において相対的に明るく描画される明部領域を特徴部位とする場合には、上記露光制御と同様にして、明部領域（視神経乳頭Ｈ１）に対応する画素ラインＬ４による露光量を減少させるように撮影光源１５の制御を行うことが可能である。それにより、視神経乳頭Ｈ１に対応する画素ラインＬ４についてのみ露光時間（したがって露光量）が減少されるので、従来の撮影方式よりも視神経乳頭Ｈ１を明りょうに（高コントラストで）描画することができる。
【００７８】
上記のような露光制御における露光時間の差について説明する。撮影画角や被検眼Ｅに依存するが、撮影画像に占める黄斑の割合（径の長さの割合）をたとえば１０％とする。つまり、上記の例で言えば、全１０個の画素ラインのうちの１つが黄斑に対応していると仮定する。期間Ｔ１、Ｔ３における発光時間をｘとし、画素ラインの個数をＮとし、全画素ラインに共通の露光時間（つまり期間Ｔ２における発光時間）をｙとすると、注目画素ラインの露光時間と他の画素ラインの露光時間との比Ｒは、次式のように表される。
【００７９】
【数１】
2014073205.tif 000003
【００８０】
具体例として、眼底撮影に必要な露光時間が１０ｍｓである場合、期間Ｔ１、Ｔ３における発光時間ｘを５０μｍとし、画素ラインの個数Ｎを２０００とし、共通露光時間ｙを１０ｍｓとすると、露光時間比Ｒは約９．０９％となる。
【００８１】
また、一般に、イメージセンサの感度やＳ／Ｎ比の向上、更には光源の高輝度化などによって、眼底撮影に必要な露光時間を短縮することが可能である。これら要件を考慮することにより、露光時間比Ｒの改善を図ることができる。
【００８２】
たとえば図６Ａに示す撮影画像Ｇ２のように、視神経乳頭Ｈ１と黄斑Ｈ２が同じ画素ラインＬ５に位置する場合がある。より一般に、眼底Ｅｆの撮影画像において相対的に暗く描画される暗部領域と相対的に明るく描画される明部領域とが同じ画素ラインに対応する場合がある。そうすると、前述したような暗部領域に対する露光制御や明部領域に対する露光制御を行うことができない。
【００８３】
このような場合、露光制御部１３０は、イメージセンサ駆動部４３Ａを制御して、イメージセンサ４３を所定角度だけ回転させる。この所定角度はたとえば９０度である。イメージセンサ４３を９０度回転させると、図６Ｂに示すように、撮影画像Ｇ２が９０度回転し、視神経乳頭Ｈ１と黄斑Ｈ２とが異なる画素ラインＬ４およびＬ７に対応するようになる。このようなイメージセンサ４３の回転を行うことにより、明部領域と暗部領域とを異なる画素ラインに対応させることができ、前述の露光制御を行うことが可能となる。
【００８４】
［作用・効果］
眼底撮影装置１の作用および効果について説明する。
【００８５】
眼底撮影装置１は、照明光学系１０と、撮影光学系３０と、露光制御部１３０とを有する。照明光学系１０は、被検眼Ｅの眼底Ｅｆに照明光を照射する。撮影光学系３０は、複数の画素ラインＬｉによる露光タイミングを所定の時間差ΔＴで順次に切り替えながら画素ラインＬｉ単位で照明光の眼底反射光を検出するイメージセンサ４３（撮像素子）を含む。露光制御部１３０は、イメージセンサ４３による眼底反射光の露光量を、複数の画素ラインＬｉの露光タイミングの切り替えに応じて変更する。
【００８６】
このような眼底撮影装置１によれば、ローリングシャッタ方式の撮像素子を用いる場合において、画素ラインＬｉの切り替えに応じて露光量を変更することができるので、好適な露出で眼底撮影を行うことが可能となる。
【００８７】
照明光学系１０は、照明光（撮影照明光）を出力する撮影光源１５（光源）を含む。そして、露光制御部１３０は、複数の画素ラインＬｉの露光タイミングの切り替えに応じて撮影光源１５を制御することにより露光量の変更を行うことが可能である。
【００８８】
露光制御部１３０は、眼底Ｅｆの撮影画像において相対的に暗く描画される暗部領域（黄斑Ｈ２等）に対応する画素ラインＬｉによる露光量を増加させるように露光量の変更を行うことができる。それにより、暗部領域がより明りょうに描画された眼底像を取得することが可能である。
【００８９】
露光制御部１３０は、眼底Ｅｆの撮影画像において相対的に明るく描画される明部領域（視神経乳頭Ｈ１等）に対応する画素ラインＬｉによる露光量を減少させるように露光量の変更を行うことができる。それにより、明部領域がより明りょうに描画された眼底像を取得することが可能である。
【００９０】
眼底撮影装置１は、撮影光学系３０の光軸を中心としてイメージセンサ４３を回転させるイメージセンサ駆動部４３Ａ（撮像素子駆動部）を有していてもよい。そして、露光制御部１３０は、暗部領域と明部領域とが同じ画素ラインＬｉに対応する場合、イメージセンサ駆動部４３Ａを制御してイメージセンサ４３を回転させることができる。それにより、暗部領域と明部領域とが同じ画素ラインに対応する場合に、これら領域を異なる画素ラインに対応するように撮影画像を回転させ、上記の暗部領域に対する処理や明部領域に対する処理を実行することが可能である。
【００９１】
なお、イメージセンサ４３を回転させる代わりに、イメージセンサ４３に入射する光束（眼底反射光）を回転させる光学素子を設けることができる。その場合、露光制御部１３０は、この光学素子を制御することにより、眼底反射光を所定角度だけ回転させてイメージセンサ４３に入射させる。それにより、イメージセンサ４３を回転させる場合と同様の効果を得ることが可能となる。
【００９２】
また、イメージセンサ４３や眼底反射光の回転角度は、自動で決定してもよいし、ユーザが决定してもよい。前者の場合の例として、所定のデフォルト角度だけ回転させる構成、暗部領域と明部領域との位置関係および画素ラインの配列に基づいて回転角度を決定する構成などを適用することが可能である。後者の場合の例として、眼底Ｅｆの撮影画像を表示部３００に表示させ、この表示画像に基づいて操作部４００を操作することによって回転角度を決定する構成を適用することが可能である。
【００９３】
眼底撮影装置１は、複数の画素ラインのうち眼底Ｅｆの特徴部位に対応する画素ライン（注目画素ライン）Ｌｉを特定する画素ライン特定部２１０を有していてもよい。その場合、露光制御部１３０は、注目画素ラインＬｉによる露光量と他の画素ラインＬｋ（ｋ≠ｉ）による露光量とを違えるように露光量の変更を行うことが可能である。この露光量の変更は、たとえば、注目画素ラインＬｉによる露光時間と、他の画素ラインＬｋによる露光時間とを違えることにより行われる。更に、この露光時間の制御は、たとえば、注目画素ラインＬｉに対する露光回数と、他の画素ラインＬｋに対する露光回数とを違えることにより行われる。なお、特徴部位が暗部領域である場合には注目画素ラインＬｉによる露光量（露光時間、露光回数）を増加させるように制御を行い、特徴部位が明部領域である場合には注目画素ラインＬｉによる露光量（露光時間、露光回数）を減少させるように制御を行う。このような構成によれば、特徴部位に応じて露光制御を行うことができるので、特徴部位が明りょうに描画された眼底像を取得することが可能となる。
【００９４】
照明光学系１０が、赤外照明光を出力する観察光源１１（赤外光源）を含み、かつ、撮影光学系３０が、イメージセンサ４３との間において画素位置の対応付けが予めなされており、赤外照明光の眼底反射光を検出するイメージセンサ３７（赤外撮像素子）を含む場合、次のようにして画素ラインの特定処理を行うことが可能である。すなわち、画素ライン特定部２１０は、イメージセンサ３７による検出結果に基づく赤外眼底像を解析することにより、眼底Ｅｆの特徴部位に対応するイメージセンサ３７の画素を特定する機能（画素特定部２１１）を有する。更に、画素ライン特定部２１０は、当該機能により特定されたイメージセンサ３７の画素に対応付けられたイメージセンサ４３の画素を含む画素ラインを、眼底Ｅｆの特徴部位に対応する画素ラインＬｉとして特定する。この構成によれば、赤外眼底像に基づいて注目画素ラインＬｉを的確に特定することができ、その結果として好適な眼底像を取得することが可能となる。
【００９５】
また、眼底撮影装置１が、被検眼Ｅを固視させるための固視光学系を有する場合、画素ライン特定部２１０は、眼底撮影時における固視光学系による固視位置および撮影光学系３０による撮影画角に基づいて、眼底Ｅｆの特徴部位に対応する画素ラインＬｉを特定することができる。この構成によれば、上記のような赤外眼底撮影を行う必要がないので、簡便に注目画素ラインＬｉを特定することが可能である。
【００９６】
なお、注目画素ラインの特定処理において赤外眼底撮影を行うか行わないかは任意である。たとえば、双方の機能を選択的に適用することが可能である。
【００９７】
［変形例］
この発明に係る眼底撮影装置は、以上において説明したものには限定されない。この発明を実施しようとする者は、この発明の要旨の範囲内において任意の変形（省略、変更、置換等）を施すことが可能である。以下、そのような変形の例を説明する。なお、上記実施形態と同様の構成部分に関する説明を割愛することがある。また、上記実施形態と同様の構成部分は同じ符号で示される。
【００９８】
（第１変形例）
上記実施形態では、光源を制御することにより撮像素子による露光量を変更している。しかし、他の制御を行うことによって、同様の露光量の偏向制御を行うことが可能である。たとえば、前述したように、光の透過および遮断を切り替えるための光学シャッタや、透過光量を変更するための減光フィルタを用いることが可能である。なお、光源の制御、光学シャッタの制御、減光フィルタの制御のうちの２つ以上を任意に組み合わせることも可能である。
【００９９】
光学シャッタを用いる場合について説明する。光学シャッタを有する眼底撮影装置の制御系の構成例を図７に示す。露光制御部１３０は、イメージセンサ４３の複数の画素ラインＬｉによる露光タイミングの切り替えに応じて光学シャッタ８０を制御することにより、イメージセンサ４３による露光量を変更する。具体例として、暗部領域に対応する注目画素ラインＬｉによる露光量を増加させる場合、露光制御部１３０は、たとえば、注目画素ラインＬｉの露光時間を他の画素ラインＬｉの露光時間よりも長くするように、光学シャッタ８０の開閉動作を制御する。また、明部領域に対応する注目画素ラインＬｉによる露光量を減少させる場合、露光制御部１３０は、たとえば、注目画素ラインＬｉの露光時間を他の画素ラインＬｉの露光時間よりも短くするように、光学シャッタ８０の開閉動作を制御する。なお、光学シャッタ８０の開閉タイミングは、目的の条件を満たすように任意に設定される。
【０１００】
減光フィルタを用いる場合について説明する。減光フィルタを有する眼底撮影装置の制御系の構成を図８に示す。露光制御部１３０は、イメージセンサ４３の複数の画素ラインＬｉによる露光タイミングの切り替えに応じて減光フィルタ９０を制御することにより、イメージセンサ４３による露光量を変更する。具体例として、暗部領域に対応する注目画素ラインＬｉによる露光量を増加させる場合、露光制御部１３０は、たとえば、注目画素ラインＬｉの露光期間における透過光量（透過率）を、他の画素ラインＬｉの露光期間における透過光量（透過率）よりも大きく（高く）するように、減光フィルタ９０を制御する。また、明部領域に対応する注目画素ラインＬｉによる露光量を減少させる場合、露光制御部１３０は、たとえば、注目画素ラインＬｉの露光期間における透過光量（透過率）を、他の画素ラインＬｉの露光期間における透過光量（透過率）よりも小さく（低く）するように、減光フィルタ９０を制御する。なお、減光フィルタ９０の透過光量（透過率）を変更するタイミングは、目的の条件を満たすように任意に設定される。
【０１０１】
所定の透過光量（透過率）の減光フィルタ９０を光路に挿脱する構成の場合には、光学シャッタ８０による光の透過／遮断の切り替えと同様に、減光フィルタ９０の挿入（光量低下）／退避（光量増加）の切り替えが行われる。
【０１０２】
光学シャッタ８０や減光フィルタ９０を適用する構成は、オン／オフの応答性能が低い光源を用いる場合に有効と考えられる。つまり、そのような光源では上記実施形態のような高速での発光制御を実現できない可能性があり、その場合には光学シャッタ８０や減光フィルタ９０を用いてイメージセンサ４３に入射する光の光量を高速で切り替えることができる。なお、ＬＥＤのような応答性能の高い光源を用いる場合には、上記実施形態の構成が有効と考えられる。
【０１０３】
（第２変形例）
上記実施形態において、眼底Ｅｆの特徴部位に対応する画素ラインを特定する処理を説明した。これに代えて、所定の画素ラインに特徴部位が描画されるように被検眼Ｅを誘導するように構成することが可能である。被検眼Ｅの誘導は、固視位置を変更することにより行われる。固視位置の変更は、たとえば、図９に示す固視光学系のＬＣＤ（固視用ＬＣＤ）３８を制御することで実現可能である。固視用ＬＣＤ３８の制御は固視制御部１４０が行う。なお、固視制御部１４０の少なくとも一部の機能が、主制御部１１０の機能と重複していてもよい。
【０１０４】
この変形例による処理の一例を説明する。主制御部１１０は、固視標が投影された状態の眼底Ｅｆの赤外眼底像（動画像）をリアルタイムで表示部３００に表示させる。更に、主制御部１１０は、この表示画面（赤外眼底像）において所定の画素ラインの位置を示す画像（目標ライン画像）を表示させる。ユーザは、赤外眼底像中の特徴部位が目標ライン画像に重なるように、操作部４００によって固視位置（つまり固視用ＬＣＤ３８による固視標の画像の表示位置）を変更する。この固視位置の変更は、操作部４００からの操作信号を受けた固視制御部１４０が固視用ＬＣＤ３８を制御することにより行われる。特徴部位が目標ライン画像に重なったら、ユーザは操作部４００を用いて撮影指示を入力する。これを受けた眼底撮影装置１は眼底撮影を行う。なお、特徴部位が目標ライン画像に重なったことを検出して自動で眼底撮影を行うようにしてもよい。眼底撮影は、たとえば上記実施形態と同様に、露光制御部１３０の制御の下に実行される。
【０１０５】
他の処理例を説明する。固視制御部１４０は、赤外眼底像中の特徴部位と目標ライン画像との位置関係を取得することができる。この処理は、たとえば画像解析により特徴部位を特定し、表示画面における特徴部位の座標と目標ライン画像の座標とを比較することにより行うことができる。双方の位置が一致したら、固視制御部１４０は、眼底撮影が可能なことを示す情報を出力する。この情報を受けた主制御部１１０は、眼底撮影を実行させる。或いは、この情報を受けた主制御部１１０は、眼底撮影が可能な旨のメッセージを表示部３００に表示させる。このメッセージを認識したユーザが操作部４００を用いて撮影指示を入力する。これを受けた眼底撮影装置１は眼底撮影を行う。眼底撮影は、たとえば上記実施形態と同様に、露光制御部１３０の制御の下に実行される。
【０１０６】
この変形例によれば、所定の画素ラインに特徴部位が描画されるように被検眼Ｅを誘導することができるので、良好な露光状態の眼底像を取得することが可能である。
【符号の説明】
【０１０７】
１  眼底撮影装置
１０  照明光学系
１１  観察光源
１５  撮影光源
３０  撮影光学系
３７  イメージセンサ
３８  （固視用）ＬＥＤ
４３  イメージセンサ
４３Ａ  イメージセンサ駆動部
８０  光学シャッタ
９０  減光フィルタ
１００  制御部
１１０  主制御部
１２０  記憶部
１３０  露光制御部
１４０  固視制御部
２００  画像処理部
２１０  画素ライン特定部
２１１  画素特定部
３００  表示部
４００  操作部
Ｅ  被検眼
Ｅｆ  眼底
Ｐｉｊ  画素
Ｌｉ  画素ライン
Ｇ１、Ｇ２  撮影画像
Ｈ１  視神経乳頭
Ｈ２  黄斑
【図１】
2014073205.tif 000004
【図３】
2014073205.tif 000005
【図４】
2014073205.tif 000006
【図５Ａ】
2014073205.tif 000007
【図５Ｂ】
2014073205.tif 000008
【図５Ｃ】
2014073205.tif 000009
【図６Ａ】
2014073205.tif 000010
【図６Ｂ】
2014073205.tif 000011
【図７】
2014073205.tif 000012
【図８】
2014073205.tif 000013
【図９】
2014073205.tif 000014
【図２】
2014073205.tif 000015